(57)【要約】【課題】  従来の小型カメラにおける駆動用モータユニットは減速輪列から発生するゴミが光学部材や固体撮像素子に付着して撮影画像に悪影響を与えるという問題がある。【解決手段】    駆動用モータユニットは駆動モータと輪列よりなる駆動機構を、枠体と上下2枚の受部材によって形成される輪列空間に封鎖して構成するとともに、前記受部材に前記輪列空間を覗くための覗き穴を設け、また、フレームには覗き穴に係合する突起部を設け、フレームに駆動用モータユニットを組み付けた時に、フレームに設けられた突起部が、覗き穴に係合して前記輪列空間の封鎖を行うことを特徴とする。【選択図】  図５
2009128554.tif 000002
【特許請求の範囲】
【請求項１】
フレームと該フレームに形成された各収納部にレンズユニットと駆動用モータユニットとを収納し、前記駆動用モータユニットによって前記レンズユニットの位置調整を行うカメラ装置において、前記駆動用モータユニットは駆動モータと輪列よりなる駆動機構を、枠体と上下2枚の受部材によって形成される輪列空間に封鎖して構成するとともに、前記2枚の受部材のいずれかに前記輪列空間を覗くための覗き穴を設け、また、前記フレームには前記駆動用モータユニットに設けられた覗き穴に係合する突起部を設け、前記フレームに駆動用モータユニットを組み付けた時に、前記フレームに設けられた突起部が、前記駆動用モータユニットの覗き穴に係合して前記輪列空間の封鎖を行うことを特徴とするとカメラ装置。
【請求項２】
前記駆動用モータユニットの輪列空間を構成する前記枠体の内壁にゴミを吸着するための吸着材を設けたことを特徴とする請求項１記載のカメラ装置。
【発明の詳細な説明】
【技術分野】
【０００１】
本発明はレンズユニットを駆動するための、駆動用モータユニットから発生するゴミの悪影響を防止したカメラ装置に関する。
【背景技術】
【０００２】
最近、携帯電話やＰＨＳ等で撮像した画像をそのままメールに添付して送ることが出来るようなデジタルカメラ機能内蔵の電話機が販売されている。これら携帯電話のカメラ機能の多くはデジタルカメラと同じく、ＣＭＯＳセンサやＣＣＤセンサ等の固体撮像素子と、レンズや絞り部材等の光学系部材よりなるレンズユニットと、このレンズユニットを駆動する駆動用モータユニットを備えた小型カメラが用いられている。
【０００３】
前記小型カメラは出来るだけ小型薄型化の必要があるため、前記レンズユニットを駆動するための駆動用モータとしては２極の永久磁石からなるロータと、このロータが入るロータ穴を有するステータと、このステータに固定されたコイル体とを平面状に配置した平面２極ステップモータが用いられるようになってきた（例えば特許文献１参照）。
【０００４】
この特許文献１における平面２極ステップモータと輪列とにより構成される駆動用モータユニットの構成は、上基台（上受部材）と下基台（下受部材）との間に植設された支柱によって形成される輪列空間に、コイル巻き芯とステータを有する平面２極ステップモータとトルク増大用の輪列を各々配置した状態で、前記上下2枚の基台を支柱にネジ固定することにより一体化し、この完成した駆動用モータユニットをフレームに組み付けることにより、カム部材を介してレンズユニットに結合する構成となっている。
【０００５】
【特許文献１】特開２００４−３６４４９０号公報
【発明の開示】
【発明が解決しようとする課題】
【０００６】
一般にカメラ装置は機械的に回転動作を行う駆動用モータと、ＣＭＯＳセンサやＣＣＤセンサ等の固体撮像素子と、レンズや絞り部材等の光学系部材よりなるレンズユニットとが同一の筐体内に収納される構成となっている。そして駆動用モータと輪列を構成する歯車は加工バリなどの表面の凹凸部が駆動初期において削れ、この削りかすが細かいゴミとなって飛散することが知られている。
【０００７】
そして、特許文献１のように上基台と下基台との間に植設された支柱によって形成される開放型の輪列空間に、コイル巻き芯とステータを有する平面２極ステップモータとトルク増大用の輪列を各々配置した構成では、この飛散したゴミが光学部材や固体撮像素子に付着することによって撮影画像に悪影響を与えるという問題がある。
この問題を解決する方法として、上基台と下基台との間に支柱ではなく、周囲を覆う形状の枠体を設けて封鎖型の輪列空間を有する駆動用モータユニットとし、この封鎖型の輪列空間に駆動用モータと輪列を封鎖することによってゴミの飛散を輪列空間内に閉じ込める方法が提案されている。
【０００８】
しかし、この封鎖型の駆動用モータユニットの場合は、ゴミが光学部材や固体撮像素子に付着して撮影画像に悪影響を与えることは防止できるが、反面、封鎖型であるため、駆動用モータユニットの製造時における完成品検査において、駆動用モータと輪列を構成する歯車が見えないため、歯車のかみ合い動作チェックができないという問題があり、また輪列空間内に飛散したゴミが歯車に付着して動作不良を起こす問題もある。
【０００９】
本発明の目的は上記問題に鑑みなされたもので、ゴミが光学部材や固体撮像素子に付着して撮影画像に悪影響を与えることは防止し、またカメラ装置の製造時における完成品検査において、歯車の動作チェックができる駆動用モータユニットを提供することにある。
【課題を解決するための手段】
【００１０】
上記課題を解決するため、本発明におけるカメラ装置はフレームと該フレームに形成された各収納部にレンズユニットと駆動用モータユニットとを収納し、前記駆動用モータユニットによって前記レンズユニットの位置調整を行うカメラ装置において、前記駆動用モータユニットは駆動モータと輪列よりなる駆動機構を、枠体と上下2枚の受部材によって形成される輪列空間に封鎖して構成するとともに、前記2枚の受部材のいずれかに前記輪列空間を覗くための覗き穴を設け、また、前記フレームには前記駆動用モータユニットに設けられた覗き穴に係合する突起部を設け、前記フレームに駆動用モータユニットを組み付けた時に、前記フレームに設けられた突起部が、前記駆動用モータユニットの覗き穴に係合して前記輪列空間の封鎖を行うことを特徴とする。
【００１１】
上記構成によれば、封鎖型の輪列空間を構成する2枚の受部材のいずれかに前記輪列空間を覗くための覗き穴を設けて、駆動用モータユニットの製造時における完成品検査において歯車のかみ合い動作チェックを可能にするとともに、フレームに駆動用モータユニットを組み付けた時に、前記フレームに設けられた突起部が、前記駆動用モータユニットの覗き穴に係合して前記輪列空間を封鎖することによって、ゴミが光学部材や固体撮像素子に付着して撮影画像に悪影響を与えることを防止している。
【００１２】
駆動用モータユニットの輪列空間を構成する前記枠体の内壁にゴミを吸着するための吸着材を設けたことを特徴とする。
【００１３】
上記構成によれば、封鎖型の輪列空間内に飛散したゴミを吸着材に吸着することによって、輪列空間内に飛散したゴミが歯車に付着して動作不良を起こすことを防止できる。
【発明の効果】
【００１４】
上記のごとく本発明においては、封鎖型の輪列空間を構成する2枚の受部材のいずれかに前記輪列空間を覗くための覗き穴を設けて、駆動用モータユニットの製造時における完成品検査において歯車のかみ合い動作チェックを可能にするとともに、フレームに駆動用モータユニットを組み付けた時に、前記フレームに設けられた突起部が、前記駆動用モータユニットの覗き穴に係合して前記輪列空間を封鎖することによって、ゴミが光学部材や固体撮像素子に付着して撮影画像に悪影響を与えることを防止することができる。
【発明を実施するための最良の形態】
【００１５】
以下図面により本発明のカメラ装置の構成を説明する。図１は本発明のカメラ装置の斜視図、図２は図１に示すカメラ装置の分解斜視図、図３は図２に示す駆動用モータユニットの斜視図、図４は図３に示す駆動用モータユニットの分解斜視図、図５は図３に示す駆動用モータユニットの断面図である。また図６及び図７は本発明のレンズユニットと駆動用モータユニットとの斜視図であり、図６はフレームに形成された各収納部に収納する前の状態を示し、図７は収納後の状態を示す。
【００１６】
図１において１００はカメラ装置であり、矩形形状の筐体１０１に収納されており、前面に撮影用のレンズ孔１０２が設けられている。図２はカメラ装置１００の分解斜視図であり、筐体１０１の内部にフレーム４０を基体としてレンズユニット６０と駆動用モータユニット１が収納されており、さらに筐体１０１の底面を固体撮像素子のセンサ８１を実装したセンサ基板８０によって蓋をすることによりカメラ装置１００が構成されている。
【００１７】
次に図３〜図５により本発明の特徴である駆動用モータユニット１の構成を説明する。図３は駆動用モータユニット１の斜視図、図４は駆動用モータユニット１の分解斜視であり、図３、図４に示すごとく枠体２をベースとして上部の受部材である上カバー３と下部の受部材である輪列受４とによって封鎖型の輪列空間を構成し、その内部に駆動用モータとしての平面２極ステップモータを構成するステータ７、コイルユニット８、ロータ９とトルク増大用の減速輪列１０が収納されている。
【００１８】
また枠体２の内部にロータ受６を備えた地板５を設けることにより、平面２極ステップモータを構成するステータ７、コイルユニット８を上カバー３と地板５の間に保持し、減速輪列１０とロータ９とを地板５と輪列受４の間に軸支している。
さらにカム１１は後述する如く輪列受４を貫通する減速輪列１０の一部に固定されている。そして枠体２と上カバー３及び輪列受４の間に駆動用モータの構成エレメントと減速輪列１０を組み込んでネジ１２、１３で固定することにより、図３に示す駆動用モータユニット1が完成する。
【００１９】
図３は駆動用モータユニット１の輪列受４を上にした底面側を示しており輪列受４の下面側には、枠体２と上カバー３及び輪列受４で形成された封鎖型の輪列空間を覗くための覗き穴４ａと、駆動用モータユニット１をフレーム４０に組み付けるための結合ピン４ｂがもうけられている。なお、１ａは駆動用モータユニット１に駆動信号を供給するためのコイル端子である。
【００２０】
次に図５により、駆動用モータユニット１の構成をさらに詳しく説明する。
図５は図３に示す駆動用モータユニット１の要部断面図であり、枠体２に上カバー３及び輪列受４をネジ１２，１３によって固定することにより駆動用モータの構成エレメントと減速輪列１０を収納する封鎖型の輪列空間を形成しているが、この状態においては輪列受４に設けられた覗き穴４ａがあるため、完全な封鎖型の輪列空間にはなっていない。そして駆動用モータの構成エレメントであるステータ７及びコイルユニット８は上カバー３と地板５の間に保持されており、またロータ９は地板５に取り付けられたロータ受６と輪列受４の間に軸支されている。
【００２１】
また減速輪列１０を構成する５番車１０ａ、４番車１０ｂ、３番車１０ｃはいずれも地板５と輪列受４の間に軸支されており、各歯車が順次係合して減速輪列を構成している。そして最終輪列である３番車１０ｃの車軸が輪列受４に設けられたカム穴４ｃから外部に突出しており、その突出部分にカム１１が取り付けられている。なお、図５の断面図においては、コイルユニット８及びネジ１３は見えない位置にあり、従って図示されていない。
【００２２】
次に駆動用モータユニット１の動作を説明する。
駆動用モータユニット１のコイル端子１ａから、駆動用モータのコイルユニット８に駆動信号が供給されるとステータ７を介してロータ９が回転する。そしてこのロータ９の回転は減速輪列１０を構成する５番車１０ａ、４番車１０ｂ、３番車１０ｃに順次伝達され、カム１１を回転させる。なお、この封鎖型の輪列空間は完全に封鎖してしまうと内部のロータ９や減速輪列１０のかみ合い動作が見えなくなり、正常な回転動作が行われているか否かの確認ができなくなるが、本発明のように輪列受４に覗き穴４ａを設けることによって、駆動用モータユニット１の製造時に動作確認を行うことができる。従って駆動用モータユニット１の製造時には、組立てが完成した駆動用モータユニット1のコイル端子１ａに駆動信号を供給してテストを行い、この時の動作を覗き穴４ａから覗いて輪列１０が正常にかみ合い動作していることを確認する。
【００２３】
次にフレーム４０に対する駆動用モータユニット1とレンズユニット６０の組み付け構成を説明する。図６はカメラ装置１００のモジュール部分の分解斜視図であり、図７は完成斜視図である。図６においてフレーム４０のモータ組込み部４０ａには、駆動用モータユニット１に設けられた結合ピン４ｂと結合するための結合穴４１と、同じく駆動用モータユニット１に設けられた覗き穴４ａと係合する突起部４２が設けられている。このフレーム４０に対する駆動用モータユニット１の取り付けは、駆動用モータユニット１に設けられた結合ピン４ｂを、モータ組込み部４０ａの結合穴４１に嵌め込むことによって組み付けられる。そしてフレーム４０に駆動用モータユニット１を組み付けた時に、前記フレーム４０に設けられた突起部４２が、前記駆動用モータユニット１の覗き穴４ａに係合して輪列空間を封鎖する。この結果駆動用モータユニット１における輪列１０の動作によって発生したゴミの飛散を輪列空間内に閉じ込めることで、ゴミが光学部材や固体撮像素子に付着して撮影画像に悪影響を与えることを防止することができる。
【００２４】
さらに、フレーム４０のレンズ組込み部４０ｂにレンズユニット６０を組み込むことによって図７に示す如くカメラ装置１００のモジュールが完成し、駆動用モータユニット１に設けられたカム１１によってレンズユニット６０の位置調整が可能となる。またこの完成モジュールを筐体１０１に組み込み、底面にセンサ基板８０を取り付けることによって図１に示したカメラ装置１００が完成する。
【００２５】
図８は本発明の第２実施形態における駆動用モータユニット１の要部断面図を示し、基本的構成は図５に示す駆動用モータユニット１の要部断面図と同じであり、同一要素には同一番号を付し、重複する説明を省略する。
すなわち図８に示す駆動用モータユニット１は、輪列空間を構成する前記枠体２の内壁にゴミを吸着するための吸着材３０を設けたことである。この吸着材３０によって、輪列１０の動作で発生して輪列空間内に閉じ込められたゴミを吸着することにより、ゴミによる輪列の回転動作に与える悪影響を防止している。
【図面の簡単な説明】
【００２６】
【図１】本発明のカメラ装置の斜視図である。
【図２】図１に示すカメラ装置の分解斜視図である。
【図３】図２に示す駆動用モータの斜視図である。
【図４】図３に示す駆動用モータの分解斜視図である。
【図５】図３に示す駆動用モータの要部断面図である。
【図６】本発明のレンズユニットと駆動用モータユニットとの斜視図である。
【図７】本発明のレンズユニットと駆動用モータユニットとの斜視図である。
【図８】本発明の第２実施形態における駆動用モータユニットの要部断面図である。
【符号の説明】
【００２７】
１        駆動用モータユニット
１ａ      コイル端子
２        枠体
３        上カバー
４        輪列受
４ａ      覗き穴
４ｂ      結合ピン
４ｃ      カム穴
５        地板
６        ロータ受
７        ステータ
８        コイルユニット
９        ロータ
１０      減速輪列
１０ａ    ５番車
１０ｂ    ４番車
１０ｃ    ３番車
１１      カム
１２，１３  ネジ            
３０      吸着材
４０      フレーム
４０ａ    モータ組込部
４０ｂ    レンズ組込部
４１      結合穴
４２      突起部
６０      レンズユニット
８０      センサ基板
８１      センサ
１００    カメラ装置
１０１    筐体
１０２    レンズ孔
【図１】
2009128554.tif 000003
【図２】
2009128554.tif 000004
【図３】
2009128554.tif 000005
【図４】
2009128554.tif 000006
【図５】
2009128554.tif 000007
【図６】
2009128554.tif 000008
【図７】
2009128554.tif 000009
【図８】
2009128554.tif 000010